(57)【要約】      （修正有）【課題】  地震などの災害に際して有効に役立つ防災用具を安価にして提供すること。【解決手段】  有底型の本体１５１に開閉可能な蓋１５２を備える容器１５０に移動用車輪１６７を付した防災用具容器の内部および／または外部に防災用具例えばスコップ１７０、ツルハシ１７１、レスキュー斧１７２、かませ材１７６、油圧ジャッキ１７７、ロープ１７８、長尺型バール１８１等を付帯可能にした。【選択図】  図２
2005186927.tif 000002
【特許請求の範囲】
【請求項１】
有底型の本体に開閉可能な蓋を備える容器に移動用車輪を付した防災用具容器の内部および／または外部に防災用具を付帯可能にした防災用具。
【請求項２】
請求項１において、長尺の用具であり、防災用具容器の外部に脱着自在に付帯されて長短に変換自在とされるとともに、長くされた時に防災用具容器の引っ張り用の部材を兼ねるようにされた防災用具。
【発明の詳細な説明】
【技術分野】
【０００１】  この発明は、地震などの災害に際して有効に機能を発揮する防災用具に関する。
【背景技術】
【０００２】  近時、都市において直下型の大地震が発生して甚大な被害を受けたところであるが、その被害が大きくなったのは１つには防災用具の備えがなかったからであるとされる。
【発明が解決しようとする課題】
【０００３】  ところで、これまでの防災用具は、一般型のものであるに過ぎなかったため、実践に役立たなかった。
この発明は前記課題を解決するためになされたもので、実践に役立つ防災用具を安価にして提供することを目的とする。
【課題を解決するための手段】
【０００４】この発明は前記課題を解決するためになされたもので、請求項１記載の発明は、有底型の本体に開閉可能な蓋を備える容器に移動用車輪を付した防災用具容器の内部および／または外部に防災用具を付帯可能にした。
請求項２記載の発明は、請求項１において、長尺の用具であり、防災用具容器の外部に脱着自在に付帯されて長短に変換自在とされるとともに、長くされた時に防災用具容器の引っ張り用の部材を兼ねるようにされている。
【発明の効果】
【０００５】  この発明の防災用具によれば、実践に役立つ防災用具を安価にして提供することができる。
【発明を実施するための最良の形態】
【０００６】  以下、図示した各実施形態を参照してこの発明を詳細に説明する。図１ないし図６に示す実施形態は、（株）サンリバープラスチックス社製のプラスチックドラム（高分子量、高密度ポリエチレン使用）を防災用具容器１５０に利用して防災用具セットＳを構成したものである。同容器１５０は、図２に断面を示すように、胴部１５１ａと底部１５１ｂを備えた本体１５１に蓋１５２を脱着式に開閉できるようにしたもので、蓋１５２はその耳が本体１５１の上端の耳に被さるようにされるとともに、断面くの字形で周一部が切り離されたスチール製の蓋締めリング１５３で外方から締め付けられることで蓋設されるようになっている。【０００７】  この蓋締めリング１５３は、図４に示すようなボルト締め式でもよいが、図３に示すようなワンタッチ開閉操作手段にしてある。すなわち、蓋締めリング１５３の切離し部１５３ａの対向する部分内周にブラケット１５４を突設し、同ブラケット１５４の一方に係止ピン１５５を、また、他方のブラケット１５４に操作レバー１５６を取り付けてある。【０００８】  操作レバー１５６には、ロックレバー１５７が取り付けられており、同ロックレバー１５７の先端には係止フック１５７ａが形成されている。操作レバー１５６をレバーピン１５８を中心にして図示のロック状態からドラム内向きに戻すと、ロックレバー１５７が係止ピン１５５を中心に回転するので次第にロック状態が緩み、切離し部１５３ａが開いて蓋締めリング１５３は緩むことで同リング１５３および蓋１５２は取り外し可能になる。【０００９】  蓋１５２を閉めてリング１５３を装着し、係止フック１５７ａを係止ピン１５５に係止させて操作レバー１５６をリング１５３の方向に揺動させると、リング１５３は次第に締まり、レバーピン１５８と係止ピン１５５を結ぶ線上をロックレバー１５８のロックピン１５９が越えることにより、リング１５３は締め付け状態でロックされる。【００１０】  この防災用具容器１５０の外周には、他に、中段リング１６１、下段リング１６２が同じ帯板スチール材料としてボルトナット１６３で締め付けられている。これらのリング１６１，１６２は、一方のみでもよい。また、断面がくの字の前記蓋締めリング１５３を利用してもよく、この場合、ゴムを介装することができる。【００１１】  下段リング１６２の外周からは、図４にその平面図を示すように、アングル材によるブラケット１６５が左右一対突出し、同ブラケット１６５を介して車軸１６６が通され、これに車輪１６７が設けられている。この車輪１６７の下面は容器１５０の底面と同一になっているが、容器１５０の底面よりも高くても低くてもよい。【００１２】  容器１５０内には、スコップ１７０、ツルハシ１７１、レスキュー斧１７２、更に図示しない破砕用ハンマー等が入れられ、そのため、容器１５０の内底には、損傷防止用の底パッド１７４および内周パッド１７５が貼り付けなどにより備えてある。防災用具の中には、比較的長い前記のようなものの他、かませ材１７６や油圧ジャッキ１７７さらにロープ１７８のように容器１５０内にそのまま入れると取り出し難い物もある。したがって、これらのものは、フック１７９により容器１５０に吊り下げて取り出���やすい高さにあるようにしてある。【００１３】  防災用具の中でもバールについては、伸縮型であるが容器１５０内に収まらない程の長尺の場合がある。図２は短くした際の長尺型バール１８１を示し、同バール１８１は、各リング１５３，１６１．１６２の車輪１６７側にそれぞれ一対ずつ突設されたブラケット１８０にアイボルト１８４と溶接ナット１８５により縦向きに装着されている。同バール１８１は、四角パイプでなる柄杆部１８２とその中で伸縮自在になった先杆部１８３からなり、先杆部１８３は四角ロッドあるいはパイプであり、その先端には破砕用の楔状ビット１８３ａを備える。【００１４】  柄杆部１８２の底部には底蓋１８２ａが設けられ、先杆部１８３の尾端がここに当たるようになっている。これにより、先杆部１８３に上下３段階に明けられた孔が柄杆部１８２に同じく明けた孔に合致し、前記アイボルト１８４が通される。ビット１８３ａには安全のため保護キャップ１８６が被せられるとともに図１に示すようにアイボルト１８４で脱着自在になっている。尚、バール１８１の下端部は車輪１６７間に収まっている。また、容器１５０全体は、樹脂シート製の保護カバー１８７で覆われるようになっている。同カバー１８７は省略されることがある。【００１５】  同防災用具を入れた容器１５０は、カバー１８７で覆われて図１に示すようにバール１８１が短くなった状態で突き出して収納状態にされる。地震や水害などによりこの用具が必要になると、カバー１８７が取り外されて図２に示す状態とされる。そのあと、必要に応じて、アイボルト１８４を弛めるか外すことにより先杆部１８３を伸ばして上端のアイボルト１８４により先杆部１８３を柄杆部１８２に固定する。この伸びた状態は図５に示されている。先杆部１８３を掴んで手前に倒して引っ張れば車輪１６７により入力で移動可能になる。【００１６】  また、自転車１８８やバイク（図示省略）により牽引しようとする場合、図６に示すように、アイボルト１８４を利用して牽引リンク１８９を装着し、同リンク１８９の先部の脱着リング１９０を自転車１８８の荷台１９１等に係止する。容器１５０は垂直でなく斜めになって牽引されるので、軽く安定して牽引することができる。尚、リンク１８９には、当てパッド１９２を備えて自転車１８８に凭れ掛かるようになっている。牽引リンク１８９によらず、先杆部１８３を伸ばして自転車１８８に係止できるようにしてもよい。【００１７】  尚、移動したあとや移動せずにバール１８１を使用したい場合は、アイボルト１８４を外せば、別途バール１８１を使用できる。【００１８】  また、バールの他の実施形態として、図７に示すものがある。同バール１９４は、外パイプがビット１９５ａを備えた先杆部１９５とされ、その中にＴ字形柄１９６ａを備えた柄杆部１９６を挿し込んである。尚、１９６ｂは孔で、柄杆部１９６を伸ばした際に先杆部１９５の上端孔に合致してアイボルト１８４により固定する際に使われる。【００１９】  図８に示す実施形態は、蓋１５２付容器１５０を非常用水の蓄溜用に利用するようにしたものである。容器１５０はガード１９８で耐震対策を採ってあるとともに、台所等の蛇口１９９への通常ルート２０とは別に流入ルー��２０１と流出ルート２０２を容器１５０経由で構成し、それぞれのルート２００，２０１にバルブ２０３を備えるとともに、流出ルート２０２には水中ポンプ２０４を備えて汲み出し可能にしてある。【００２０】  この非常用水は、流入ルート２０１上のバルブ２０３を開くことで容器１５０内に蓄溜しておくことができる。そして、同バルブを閉止しておけば通常ルート２００を経由して通常の水道使用が可能である。地震等の発生時には、流出ルート２０２側のバルブ２０３が開いて水中ポンプを駆動すれば蛇口１９９から用水を利用できる。【００２１】  これとは別に、仮想線のように通常ルート２０６を容器１５０内に通し、同配管の途中を容器１５０内で供給可能にしておき、蛇口１９９に連通してある。容器１５０の蓋１５２は水圧が作用しても開かないようにしておく。こうすれば、常時容器１５０内に用水が満杯になっており、蛇口１９９の方も常時使用が可能であるし、構造も簡単に済む。図９に示す実施形態は、容器１５０を風呂に利用したものを示している。【００２２】  図１０に示す実施形態は、防災用具を装備した容器であるカバー付の防災用具セットＳを花壇架台２０９内のスペースに常備するようにしたものである。図１１に示すように、階段形花壇架台２１１の下に収納するようにしてもよい。【００２３】  また、図１２に示す実施形態は、円筒形あるいは角筒形等のベンチ２１３内にセットＳを収納し、必要な時は鍵２１４付の蓋２１５を開いて使用するようにする。この場合、開かれた蓋２１５はセットＳのガイド路になる。【００２４】  尚、図１２に示す実施形態において、ベンチ２１３は、それ自体が可搬可能なように車輪付きのものであってもよい。また、ベンチ２１３内には、非常食や飲料水が保管されるようにしてもよい。飲料水については、ベンチ２１３に開けた孔を通じて雨水が溜まるようにしてもよい。【００２５】  図１３に示す実施形態は、土中２１７にセットＳを埋め込んで、同セットＳを防水手段２１９で包み込むとともに、地表にはその埋め込み場所を明示するための標示２２０を設置しておくものである。【００２６】  図１４に示す実施形態は、室内に簡易棚３４０を設備したものを示す。この棚３４０は、架台３４１上のヒンジ３４２に上下揺動可能に備えた棚本体３４３と、同本体３４３の先端にヒンジ３４４を介して備え付けた突っ張り３４５からなる。この棚３４０は仮想線のように上方に折り畳むことができる他、伸展時にはベッドとしても使用できる。前記各実施形態のセットは、屋内、屋外および屋上等に設置することができる。【００２７】  図１５に示す実施形態は、室内にハンモック３４７を吊り下げるようにしたものである。この構造は、図１４に同様のものとする。【００２８】  図１６に示す実施形態は、ソファー・ベッドについてのもので、同ソファー・ベッドは、実線で示すようにソファー３５０にもなり、倒すと仮想線のようにベッド３５１にもなるものである。この場合、地震対策として、正面からみて左右一対のガードパイプ３５２がソファー３５０の底部内を通過して設けられ、同パイプ３５２の両者間にアッパーガード３５３が一体に通されてなるものである。【００２９】  アッパーガード３５３に衝撃がかかると、同ガード３５３に備えた図示しないクッションで第１の緩衝がなされ、ガードパイプ３５２を伝ってソファー３５０内の別のクッションで第２の緩衝がなされるものである。この緩衝は、ベッド３５１にした際にも同様に得られるものである。仮想線のよういガードパイプ３５２には別にクッション３５４を付加してもよい。【００３０】  図１７に示す実施形態は、道路脇に配されたガードレール４６０を防災用具入れ４６１にしたもので、ガードレール４６０の支柱４６２間に相当する部分にガードレールを寸断したもので形成した防災用具入れ４６１を開閉可能にしたものである。尚、蓋４６３が設けられている。
【図面の簡単な説明】
【００３１】
【図１】  この発明の一実施形態である防災用具セットを示す外観図。
【図２】  同セットの半断面外観図。
【図３】  図２の平面図。
【図４】  図２のＨ−Ｈ線断面図。
【図５】  防災用具セットの入力牽引状態を示す側面図。
【図６】  同セットの自転車での牽引状態を示す側面図。
【図７】  他の構造の長尺型バールを付帯する防災用具セットを示す側面図。
【図８】  防災用具容器を用水溜めに使用した例を示す模式図。
【図９】  防災用具容器を風呂に流用した例を示す模式図。
【図１０】  防災用具セットを花壇架台内に収容した実施形態を示す側面図。
【図１１】  防災用具セットを階段型花壇架台内に収容した実施形態を示す側面図。
【図１２】  ベンチ内に防災用具セットを収納しｔ実施形態を示す斜視図。
【図１３】  土中埋込式に防災用具セットを収納した実施形態を示す断面図。
【図１４】  室内に棚を装備してベッドを兼ねるようにした実施形態を示す側面図。
【図１５】  ハンモックを室内に装備する実施形態を示す正面図。
【図１６】  ソファー・ベッドについての地震対策案を示す側面図。
【図１７】  ガードレールを防災用具入れとした例を示す模式断面図。
【符号の説明】
【００３２】  Ｓ…防災用具セット  １５１…本体  １６７…車輪  １７０，１７１，１７２，１７６，１７７，１７８…防災用具。
【図１】
2005186927.tif 000003
【図２】
2005186927.tif 000004
【図３】
2005186927.tif 000005
【図４】
2005186927.tif 000006
【図５】
2005186927.tif 000007
【図６】
2005186927.tif 000008
【図７】
2005186927.tif 000009
【図８】
2005186927.tif 000010
【図９】
2005186927.tif 000011
【図１０】
2005186927.tif 000012
【図１１】
2005186927.tif 000013
【図１２】
2005186927.tif 000014
【図１３】
2005186927.tif 000015
【図１４】
2005186927.tif 000016
【図１５】
2005186927.tif 000017
【図１６】
2005186927.tif 000018
【図１７】
2005186927.tif 000019